(57)【要約】【課題】時計から指示される数に合わせて自由に動かした指の位置を当てるマジックであり、余興効果を発生させたり、興趣性を高めたりさせる。【解決手段】腕時計１の第２表示領域５２に表示されるメッセージに従って、６個の並べたコインから左端から指を偶数回移動させて、右端のコインを除き（Ｆ）、指を５（奇数）回を移動させ（Ｇ）、両端のコインを除去し（Ｈ）、指を３（奇数）回移動させ（Ｉ）、左端のコインを除く（Ｊ）。しかる後に、指を４（偶数）回移動させて、右端のコインを除去すると、そのコインは６個の並べたコインにおける左から３番目のコインとなる。この左から３番目のコインの裏には予め「ＢＩＮＧＯ」の文字が記載されており、これを腕時計１が当てたかのような電子マジックを実演することができる。【選択図】図７
2008113900.tif 000002
【特許請求の範囲】
【請求項１】
配列された６種類の物品における左端の物品に対応する位置に指を置くべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御手段と、
前記第３のメッセージが表示された後において、予め定められている操作の有無を判断する第３の判断手段と、
この第３の判断手段により前記予め定められている操作の有が判断されたことを条件として、前記配列された６種類の物品における右端の物品を取り除くべきことを示す第４のメッセージを表示させる第４の表示制御手段と、
前記第４のメッセージが表示された後において、予め定められている操作の有無を判断する第４の判断手段と、
この第４の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御手段と、
前記第５のメッセージが表示された後において、予め定められている操作の有無を判断する第５の判断手段と、
この第５の判断手段により前記予め定められている操作の有が判断されたことを条件として、残存している５種類の物品における両端の物品を取り除くべきことを示す第６のメッセージを表示させる第６の表示制御手段と、
前記第６のメッセージが表示された後において、予め定められている操作の有無を判断する第６の判断手段と、
この第６の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御手段と、
前記第７のメッセージが表示された後において、予め定められている操作の有無を判断する第７の判断手段と、
この第７の判断手段により前記予め定められている操作の有が判断されたことを条件として、残存している３種類の物品における左端の物品を取り除くべきことを示す第８のメッセージを表示させる第８の表示制御手段と、
前記第８のメッセージが表示された後において、予め定められている操作の有無を判断する第８の判断手段と、
この第８の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御手段と、
前記第９のメッセージが表示された後において、予め定められている操作の有無を判断する第９の判断手段と、
この第９の判断手段により前記予め定められている操作の有が判断されたことを条件として、残存している２種類の物品における右端の物品を取り除くべきことを示す第１０のメッセージを表示させる第１０の表示制御手段と、
前記第１０のメッセージが表示された後において、予め定められている操作の有無を判断する第１０の判断手段と、
この第１０の判断手段により前記予め定められている操作の有が判断されたことを条件として、当たりを示す第１１のメッセージを表示させる第１１の表示制御手段と
を備えることを特徴とする電子機器。
【請求項２】
前記第１１の表示制御手段により前記第１１のメッセージが表示される際に、発光動作する発光手段を更に備えることを特徴とする請求項１記載の電子機器。
【請求項３】
前記第１１の表示制御手段により前記第１１のメッセージが表示される際に、放音動作する音発生手段を更に備えることを特徴とする請求項１又は２記載の電子機器。
【請求項４】
配列された６種類の物品における左端の物品に対応する位置に指を置くべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、前記配列された６種類の物品における右端の物品を取り除くべきことを示す第３のメッセージを表示させる第３の表示制御手段と、
前記第３のメッセージが表示された後において、予め定められている操作の有無を判断する第３の判断手段と、
この第３の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御手段と、
前記第４のメッセージが表示された後において、予め定められている操作の有無を判断する第４の判断手段と、
この第４の判断手段により前記予め定められている操作の有が判断されたことを条件として、残存している５種類の物品における両端の物品を取り除くべきことを示す第５のメッセージを表示させる第５の表示制御手段と、
前記第５のメッセージが表示された後において、予め定められている操作の有無を判断する第５の判断手段と、
この第５の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御手段と、
前記第６のメッセージが表示された後において、予め定められている操作の有無を判断する第６の判断手段と、
この第６の判断手段により前記予め定められている操作の有が判断されたことを条件として、残存している３種類の物品における左端の物品を取り除くべきことを示す第７のメッセージを表示させる第７の表示制御手段と、
前記第７のメッセージが表示された後において、予め定められている操作の有無を判断する第７の判断手段と、
この第７の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御手段と、
前記第８のメッセージが表示された後において、予め定められている操作の有無を判断する第８の判断手段と、
この第８の判断手段により前記予め定められている操作の有が判断されたことを条件として、残存している２種類の物品における右端の物品を取り除くべきことを示す第９のメッセージを表示させる第９の表示制御手段と、
前記第９のメッセージが表示された後において、予め定められている操作の有無を判断する第９の判断手段と、
この第９の判断手段により前記予め定められている操作の有が判断されたことを条件として、当たりを示す第１０のメッセージを表示させる第１０の表示制御手段と
を備えることを特徴とする電子機器。
【請求項５】
表示手段を備える電子機器が有するコンピュータを、
配列された６種類の物品における左端の物品に対応する位置に指を置くべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御手段と、
前記第３のメッセージが表示された後において、予め定められている操作の有無を判断する第３の判断手段と、
この第３の判断手段により前記予め定められている操作の有が判断されたことを条件として、前記配列された６種類の物品における右端の物品を取り除くべきことを示す第４のメッセージを表示させる第４の表示制御手段と、
前記第４のメッセージが表示された後において、予め定められている操作の有無を判断する第４の判断手段と、
この第４の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御手段と、
前記第５のメッセージが表示された後において、予め定められている操作の有無を判断する第５の判断手段と、
この第５の判断手段により前記予め定められている操作の有が判断されたことを条件として、残存している５種類の物品における両端の物品を取り除くべきことを示す第６のメッセージを表示させる第６の表示制御手段と、
前記第６のメッセージが表示された後において、予め定められている操作の有無を判断する第６の判断手段と、
この第６の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御手段と、
前記第７のメッセージが表示された後において、予め定められている操作の有無を判断する第７の判断手段と、
この第７の判断手段により前記予め定められている操作の有が判断されたことを条件として、残存している３種類の物品における左端の物品を取り除くべきことを示す第８のメッセージを表示させる第８の表示制御手段と、
前記第８のメッセージが表示された後において、予め定められている操作の有無を判断する第８の判断手段と、
この第８の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御手段と、
前記第９のメッセージが表示された後において、予め定められている操作の有無を判断する第９の判断手段と、
この第９の判断手段により前記予め定められている操作の有が判断されたことを条件として、残存している２種類の物品における右端の物品を取り除くべきことを示す第１０のメッセージを表示させる第１０の表示制御手段と、
前記第１０のメッセージが表示された後において、予め定められている操作の有無を判断する第１０の判断手段と、
この第１０の判断手段により前記予め定められている操作の有が判断されたことを条件として、当たりを示す第１１のメッセージを表示させる第１１の表示制御手段と
して機能させることを特徴とする電子機器制御プログラム。
【請求項６】
表示手段を備える電子機器が有するコンピュータを、
６種類の物品における左端の物品に対応する位置に指を置くべきことを示す第１のメッセージを表示させる第１の表示制御手段と、
前記第１のメッセージが表示された後において、予め定められている操作の有無を判断する第１の判断手段と、
この第１の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御手段と、
前記第２のメッセージが表示された後において、予め定められている操作の有無を判断する第２の判断手段と、
この第２の判断手段により前記予め定められている操作の有が判断されたことを条件として、前記配列された６種類の物品における右端の物品を取り除くべきことを示す第３のメッセージを表示させる第３の表示制御手段と、
前記第３のメッセージが表示された後において、予め定められている操作の有無を判断する第３の判断手段と、
この第３の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御手段と、
前記第４のメッセージが表示された後において、予め定められている操作の有無を判断する第４の判断手段と、
この第４の判断手段により前記予め定められている操作の有が判断されたことを条件として、残存している５種類の物品における両端の物品を取り除くべきことを示す第５のメッセージを表示させる第５の表示制御手段と、
前記第５のメッセージが表示された後において、予め定められている操作の有無を判断する第５の判断手段と、
この第５の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御手段と、
前記第６のメッセージが表示された後において、予め定められている操作の有無を判断する第６の判断手段と、
この第６の判断手段により前記予め定められている操作の有が判断されたことを条件として、残存している３種類の物品における左端の物品を取り除くべきことを示す第７のメッセージを表示させる第７の表示制御手段と、
前記第７のメッセージが表示された後において、予め定められている操作の有無を判断する第７の判断手段と、
この第７の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御手段と、
前記第８のメッセージが表示された後において、予め定められている操作の有無を判断する第８の判断手段と、
この第８の判断手段により前記予め定められている操作の有が判断されたことを条件として、残存している２種類の物品における右端の物品を取り除くべきことを示す第９のメッセージを表示させる第９の表示制御手段と、
前記第９のメッセージが表示された後において、予め定められている操作の有無を判断する第９の判断手段と、
この第９の判断手段により前記予め定められている操作の有が判断されたことを条件として、当たりを示す第１０のメッセージを表示させる第１０の表示制御手段と
して機能させることを特徴とする電子機器制御プログラム。
【請求項７】
表示手段を備える電子機器の制御方法であって、
配列された６種類の物品における左端の物品に対応する位置に指を置くべきことを示す第１のメッセージを表示させる第１の表示制御ステップと、
前記第１のメッセージが表示された後において、予め定められている操作の有無を判断する第１の判断ステップと、
この第１の判断ステップにより前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御ステップと、
前記第２のメッセージが表示された後において、予め定められている操作の有無を判断する第２の判断ステップと、
この第２の判断ステップにより前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御ステップと、
前記第３のメッセージが表示された後において、予め定められている操作の有無を判断する第３の判断ステップと、
この第３の判断ステップにより前記予め定められている操作の有が判断されたことを条件として、前記配列された６種類の物品における右端の物品を取り除くべきことを示す第４のメッセージを表示させる第４の表示制御ステップと、
前記第４のメッセージが表示された後において、予め定められている操作の有無を判断する第４の判断ステップと、
この第４の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御ステップと、
前記第５のメッセージが表示された後において、予め定められている操作の有無を判断する第５の判断ステップと、
この第５の判断ステップにより前記予め定められている操作の有が判断されたことを条件として、残存している５種類の物品における両端の物品を取り除くべきことを示す第６のメッセージを表示させる第６の表示制御ステップと、
前記第６のメッセージが表示された後において、予め定められている操作の有無を判断する第６の判断ステップと、
この第６の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御ステップと、
前記第７のメッセージが表示された後において、予め定められている操作の有無を判断する第７の判断ステップと、
この第７の判断ステップにより前記予め定められている操作の有が判断されたことを条件として、残存している３種類の物品における左端の物品を取り除くべきことを示す第８のメッセージを表示させる第８の表示制御ステップと、
前記第８のメッセージが表示された後において、予め定められている操作の有無を判断する第８の判断ステップと、
この第８の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御ステップと、
前記第９のメッセージが表示された後において、予め定められている操作の有無を判断する第９の判断ステップと、
この第９の判断ステップにより前記予め定められている操作の有が判断されたことを条件として、残存している２種類の物品における右端の物品を取り除くべきことを示す第１０のメッセージを表示させる第１０の表示制御ステップと、
前記第１０のメッセージが表示された後において、予め定められている操作の有無を判断する第１０の判断ステップと、
この第１０の判断ステップにより前記予め定められている操作の有が判断されたことを条件として、当たりを示す第１１のメッセージを表示させる第１１の表示制御ステップと
を含むことを特徴とする電子機器制御方法。
【請求項８】
表示手段を備える電子機器の制御方法であって、
配列された６種類の物品における左端の物品に対応する位置に指を置くべきことを示す第１のメッセージを表示させる第１の表示制御ステップと、
前記第１のメッセージが表示された後において、予め定められている操作の有無を判断する第１の判断ステップと、
この第１の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御ステップと、
前記第２のメッセージが表示された後において、予め定められている操作の有無を判断する第２の判断ステップと、
この第２の判断ステップにより前記予め定められている操作の有が判断されたことを条件として、前記配列された６種類の物品における右端の物品を取り除くべきことを示す第３のメッセージを表示させる第３の表示制御ステップと、
前記第３のメッセージが表示された後において、予め定められている操作の有無を判断する第３の判断ステップと、
この第３の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御ステップと、
前記第４のメッセージが表示された後において、予め定められている操作の有無を判断する第４の判断ステップと、
この第４の判断ステップにより前記予め定められている操作の有が判断されたことを条件として、残存している５種類の物品における両端の物品を取り除くべきことを示す第５のメッセージを表示させる第５の表示制御ステップと、
前記第５のメッセージが表示された後において、予め定められている操作の有無を判断する第５の判断ステップと、
この第５の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御ステップと、
前記第６のメッセージが表示された後において、予め定められている操作の有無を判断する第６の判断ステップと、
この第６の判断ステップにより前記予め定められている操作の有が判断されたことを条件として、残存している３種類の物品における左端の物品を取り除くべきことを示す第７のメッセージを表示させる第７の表示制御ステップと、
前記第７のメッセージが表示された後において、予め定められている操作の有無を判断する第７の判断ステップと、
この第７の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御ステップと、
前記第８のメッセージが表示された後において、予め定められている操作の有無を判断する第８の判断ステップと、
この第８の判断ステップにより前記予め定められている操作の有が判断されたことを条件として、残存している２種類の物品における右端の物品を取り除くべきことを示す第９のメッセージを表示させる第９の表示制御ステップと、
前記第９のメッセージが表示された後において、予め定められている操作の有無を判断する第９の判断ステップと、
この第９の判断ステップにより前記予め定められている操作の有が判断されたことを条件として、当たりを示す第１０のメッセージを表示させる第１０の表示制御ステップと
を含むことを特徴とする電子機器制御方法。
【発明の詳細な説明】
【技術分野】
【０００１】
本発明は、マジック機能を有する電子機器、電子機器制御プログラム及び電子機器制御方法に関するものである。
【背景技術】
【０００２】
今日においては、腕時計や携帯電話機等の表示機能を備えた各種電子機器が出現するに至っており、一方、トリック手品具（例えば、特許文献１参照。）等の、各種手品専用具も出現するに至っている。
【特許文献１】特開平３−３３７７６号公報
【発明の開示】
【発明が解決しようとする課題】
【０００３】
したがって、トリック手品具等の各種手品専用具を用いれば、手品を実演することができ、余興効果を発生させることができる。しかしながら、従来の各種電子機器にあっては、専ら機器本来の機能を発生させることを主眼とするものであることから、これを用いて余興効果を発生させたり、当該機器の興趣性を高めさせたりすることはできない。
【０００４】
本発明は、かかる従来の課題に鑑みてなされたものであり、余興効果を発生させたり、興趣性を高めたりさせることのできる電子機器、電子機器制御プログラム及び電子機器制御方法を提供することを目的とする。
【課題を解決するための手段】
【０００５】
前記課題を解決するため請求項１記載の発明に係る電子機器にあっては、配列された６種類の物品における左端の物品に対応する位置に指を置くべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御手段と、前記第３のメッセージが表示された後において、予め定められている操作の有無を判断する第３の判断手段と、この第３の判断手段により前記予め定められている操作の有が判断されたことを条件として、前記配列された６種類の物品における右端の物品を取り除くべきことを示す第４のメッセージを表示させる第４の表示制御手段と、前記第４のメッセージが表示された後において、予め定められている操作の有無を判断する第４の判断手段と、この第４の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御手段と、前記第５のメッセージが表示された後において、予め定められている操作の有無を判断する第５の判断手段と、この第５の判断手段により前記予め定められている操作の有が判断されたことを条件として、残存している５種類の物品における両端の物品を取り除くべきことを示す第６のメッセージを表示させる第６の表示制御手段と、前記第６のメッセージが表示された後において、予め定められている操作の有無を判断する第６の判断手段と、この第６の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御手段と、前記第７のメッセージが表示された後において、予め定められている操作の有無を判断する第７の判断手段と、この第７の判断手段により前記予め定められている操作の有が判断されたことを条件として、残存している３種類の物品における左端の物品を取り除くべきことを示す第８のメッセージを表示させる第８の表示制御手段と、前記第８のメッセージが表示された後において、予め定められている操作の有無を判断する第８の判断手段と、この第８の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御手段と、前記第９のメッセージが表示された後において、予め定められている操作の有無を判断する第９の判断手段と、この第９の判断手段により前記予め定められている操作の有が判断されたことを条件として、残存している２種類の物品における右端の物品を取り除くべきことを示す第１０のメッセージを表示させる第１０の表示制御手段と、前記第１０のメッセージが表示された後において、予め定められている操作の有無を判断する第１０の判断手段と、この第１０の判断手段により前記予め定められている操作の有が判断されたことを条件として、当たりを示す第１１のメッセージを表示させる第１１の表示制御手段とを備えることを特徴とする。
【０００６】
また、請求項２記載の発明に係る電子機器にあっては、前記第１１の表示制御手段により前記第１１のメッセージが表示される際に、発光動作する発光手段を更に備えることを特徴とする。
【０００７】
また、請求項３記載の発明に係る電子機器にあっては、前記第１１の表示制御手段により前記第１１のメッセージが表示される際に、放音動作する音発生手段を更に備えることを特徴とする。
【０００８】
また、請求項４記載の発明に係る電子機器にあっては、配列された６種類の物品における左端の物品に対応する位置に指を置くべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、前記配列された６種類の物品における右端の物品を取り除くべきことを示す第３のメッセージを表示させる第３の表示制御手段と、
【０００９】
前記第３のメッセージが表示された後において、予め定められている操作の有無を判断する第３の判断手段と、この第３の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御手段と、前記第４のメッセージが表示された後において、予め定められている操作の有無を判断する第４の判断手段と、この第４の判断手段により前記予め定められている操作の有が判断されたことを条件として、残存している５種類の物品における両端の物品を取り除くべきことを示す第５のメッセージを表示させる第５の表示制御手段と、前記第５のメッセージが表示された後において、予め定められている操作の有無を判断する第５の判断手段と、この第５の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御手段と、前記第６のメッセージが表示された後において、予め定められている操作の有無を判断する第６の判断手段と、この第６の判断手段により前記予め定められている操作の有が判断されたことを条件として、残存している３種類の物品における左端の物品を取り除くべきことを示す第７のメッセージを表示させる第７の表示制御手段と、前記第７のメッセージが表示された後において、予め定められている操作の有無を判断する第７の判断手段と、この第７の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御手段と、前記第８のメッセージが表示された後において、予め定められている操作の有無を判断する第８の判断手段と、この第８の判断手段により前記予め定められている操作の有が判断されたことを条件として、残存している２種類の物品における右端の物品を取り除くべきことを示す第９のメッセージを表示させる第９の表示制御手段と、前記第９のメッセージが表示された後において、予め定められている操作の有無を判断する第９の判断手段と、この第９の判断手段により前記予め定められている操作の有が判断されたことを条件として、当たりを示す第１０のメッセージを表示させる第１０の表示制御手段とを備えることを特徴とする。
【００１０】
また、請求項５記載の発明に係る電子機器制御プログラムにあっては、表示手段を備える電子機器が有するコンピュータを、配列された６種類の物品における左端の物品に対応する位置に指を置くべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御手段と、前記第３のメッセージが表示された後において、予め定められている操作の有無を判断する第３の判断手段と、この第３の判断手段により前記予め定められている操作の有が判断されたことを条件として、前記配列された６種類の物品における右端の物品を取り除くべきことを示す第４のメッセージを表示させる第４の表示制御手段と、前記第４のメッセージが表示された後において、予め定められている操作の有無を判断する第４の判断手段と、この第４の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御手段と、前記第５のメッセージが表示された後において、予め定められている操作の有無を判断する第５の判断手段と、この第５の判断手段により前記予め定められている操作の有が判断されたことを条件として、残存している５種類の物品における両端の物品を取り除くべきことを示す第６のメッセージを表示させる第６の表示制御手段と、前記第６のメッセージが表示された後において、予め定められている操作の有無を判断する第６の判断手段と、この第６の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御手段と、前記第７のメッセージが表示された後において、予め定められている操作の有無を判断する第７の判断手段と、この第７の判断手段により前記予め定められている操作の有が判断されたことを条件として、残存している３種類の物品における左端の物品を取り除くべきことを示す第８のメッセージを表示させる第８の表示制御手段と、前記第８のメッセージが表示された後において、予め定められている操作の有無を判断する第８の判断手段と、この第８の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御手段と、前記第９のメッセージが表示された後において、予め定められている操作の有無を判断する第９の判断手段と、この第９の判断手段により前記予め定められている操作の有が判断されたことを条件として、残存している２種類の物品における右端の物品を取り除くべきことを示す第１０のメッセージを表示させる第１０の表示制御手段と、前記第１０のメッセージが表示された後において、予め定められている操作の有無を判断する第１０の判断手段と、この第１０の判断手段により前記予め定められている操作の有が判断されたことを条件として、当たりを示す第１１のメッセージを表示させる第１１の表示制御手段として機能させることを特徴とする。
【００１１】
また、請求項６記載の発明に係る電子機器制御プログラムにあっては、表示手段を備える電子機器が有するコンピュータを、６種類の物品における左端の物品に対応する位置に指を置くべきことを示す第１のメッセージを表示させる第１の表示制御手段と、前記第１のメッセージが表示された後において、予め定められている操作の有無を判断する第１の判断手段と、この第１の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御手段と、前記第２のメッセージが表示された後において、予め定められている操作の有無を判断する第２の判断手段と、この第２の判断手段により前記予め定められている操作の有が判断されたことを条件として、前記配列された６種類の物品における右端の物品を取り除くべきことを示す第３のメッセージを表示させる第３の表示制御手段と、前記第３のメッセージが表示された後において、予め定められている操作の有無を判断する第３の判断手段と、この第３の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御手段と、前記第４のメッセージが表示された後において、予め定められている操作の有無を判断する第４の判断手段と、この第４の判断手段により前記予め定められている操作の有が判断されたことを条件として、残存している５種類の物品における両端の物品を取り除くべきことを示す第５のメッセージを表示させる第５の表示制御手段と、前記第５のメッセージが表示された後において、予め定められている操作の有無を判断する第５の判断手段と、この第５の判断手段により前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御手段と、前記第６のメッセージが表示された後において、予め定められている操作の有無を判断する第６の判断手段と、この第６の判断手段により前記予め定められている操作の有が判断されたことを条件として、残存している３種類の物品における左端の物品を取り除くべきことを示す第７のメッセージを表示させる第７の表示制御手段と、前記第７のメッセージが表示された後において、予め定められている操作の有無を判断する第７の判断手段と、この第７の判断手段により前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御手段と、前記第８のメッセージが表示された後において、予め定められている操作の有無を判断する第８の判断手段と、この第８の判断手段により前記予め定められている操作の有が判断されたことを条件として、残存している２種類の物品における右端の物品を取り除くべきことを示す第９のメッセージを表示させる第９の表示制御手段と、前記第９のメッセージが表示された後において、予め定められている操作の有無を判断する第９の判断手段と、この第９の判断手段により前記予め定められている操作の有が判断されたことを条件として、当たりを示す第１０のメッセージを表示させる第１０の表示制御手段として機能させることを特徴とする。
【００１２】
また、請求項７記載の発明に係る電子機器制御方法にあっては、表示手段を備える電子機器の制御方法であって、配列された６種類の物品における左端の物品に対応する位置に指を置くべきことを示す第１のメッセージを表示させる第１の表示制御ステップと、前記第１のメッセージが表示された後において、予め定められている操作の有無を判断する第１の判断ステップと、この第１の判断ステップにより前記予め定められている操作の有が判断されたことを条件として、隣接する物品への移動を１回の移動として、前記指を現在の位置から前記物品に対応する位置に任意の回数動かすべきことを示す第２のメッセージを表示させる第２の表示制御ステップと、前記第２のメッセージが表示された後において、予め定められている操作の有無を判断する第２の判断ステップと、この第２の判断ステップにより前記予め定められている操作の有が判断されたことを条件として、隣接する物品への移動を１回の移動として、前記指を現在の位置から前記物品に対応する位置に前回と同一回数動かすべきことを示す第３のメッセージを表示させる第３の表示制御ステップと、前記第３のメッセージが表示された後において、予め定められている操作の有無を判断する第３の判断ステップと、この第３の判断ステップにより前記予め定められている操作の有が判断されたことを条件として、前記配列された６種類の物品における右端の物品を取り除くべきことを示す第４のメッセージを表示させる第４の表示制御ステップと、前記第４のメッセージが表示された後において、予め定められている操作の有無を判断する第４の判断ステップと、この第４の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第５のメッセージを表示させる第５の表示制御ステップと、前記第５のメッセージが表示された後において、予め定められている操作の有無を判断する第５の判断ステップと、この第５の判断ステップにより前記予め定められている操作の有が判断されたことを条件として、残存している５種類の物品における両端の物品を取り除くべきことを示す第６のメッセージを表示させる第６の表示制御ステップと、前記第６のメッセージが表示された後において、予め定められている操作の有無を判断する第６の判断ステップと、この第６の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第７のメッセージを表示させる第７の表示制御ステップと、前記第７のメッセージが表示された後において、予め定められている操作の有無を判断する第７の判断ステップと、この第７の判断ステップにより前記予め定められている操作の有が判断されたことを条件として、残存している３種類の物品における左端の物品を取り除くべきことを示す第８のメッセージを表示させる第８の表示制御ステップと、前記第８のメッセージが表示された後において、予め定められている操作の有無を判断する第８の判断ステップと、この第８の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第９のメッセージを表示させる第９の表示制御ステップと、前記第９のメッセージが表示された後において、予め定められている操作の有無を判断する第９の判断ステップと、この第９の判断ステップにより前記予め定められている操作の有が判断されたことを条件として、残存している２種類の物品における右端の物品を取り除くべきことを示す第１０のメッセージを表示させる第１０の表示制御ステップと、前記第１０のメッセージが表示された後において、予め定められている操作の有無を判断する第１０の判断ステップと、この第１０の判断ステップにより前記予め定められている操作の有が判断されたことを条件として、当たりを示す第１１のメッセージを表示させる第１１の表示制御ステップとを含むことを特徴とする。
【００１３】
また、請求項８記載の発明に係る電子機器制御方法にあっては、表示手段を備える電子機器の制御方法であって、配列された６種類の物品における左端の物品に対応する位置に指を置くべきことを示す第１のメッセージを表示させる第１の表示制御ステップと、前記第１のメッセージが表示された後において、予め定められている操作の有無を判断する第１の判断ステップと、この第１の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第２のメッセージを表示させる第２の表示制御ステップと、前記第２のメッセージが表示された後において、予め定められている操作の有無を判断する第２の判断ステップと、この第２の判断ステップにより前記予め定められている操作の有が判断されたことを条件として、前記配列された６種類の物品における右端の物品を取り除くべきことを示す第３のメッセージを表示させる第３の表示制御ステップと、前記第３のメッセージが表示された後において、予め定められている操作の有無を判断する第３の判断ステップと、この第３の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第４のメッセージを表示させる第４の表示制御ステップと、前記第４のメッセージが表示された後において、予め定められている操作の有無を判断する第４の判断ステップと、この第４の判断ステップにより前記予め定められている操作の有が判断されたことを条件として、残存している５種類の物品における両端の物品を取り除くべきことを示す第５のメッセージを表示させる第５の表示制御ステップと、前記第５のメッセージが表示された後において、予め定められている操作の有無を判断する第５の判断ステップと、この第５の判断ステップにより前記予め定められている操作の有が判断されたことを条件として、奇数をランダムに発生させるとともに、隣接する物品への移動を１回の移動として、前記指を現在の位置から前記物品に対応する位置に前記奇数の回数動かすべきことを示す第６のメッセージを表示させる第６の表示制御ステップと、前記第６のメッセージが表示された後において、予め定められている操作の有無を判断する第６の判断ステップと、この第６の判断ステップにより前記予め定められている操作の有が判断されたことを条件として、残存している３種類の物品における左端の物品を取り除くべきことを示す第７のメッセージを表示させる第７の表示制御ステップと、前記第７のメッセージが表示された後において、予め定められている操作の有無を判断する第７の判断ステップと、この第７の判断ステップにより前記予め定められている操作の有が判断されたことを条件として、偶数をランダムに発生させるとともに、隣接する物品への移動を１回の移動として、前記指を現在の位置から前記物品に対応する位置に前記偶数の回数動かすべきことを示す第８のメッセージを表示させる第８の表示制御ステップと、前記第８のメッセージが表示された後において、予め定められている操作の有無を判断する第８の判断ステップと、この第８の判断ステップにより前記予め定められている操作の有が判断されたことを条件として、残存している２種類の物品における右端の物品を取り除くべきことを示す第９のメッセージを表示させる第９の表示制御ステップと、前記第９のメッセージが表示された後において、予め定められている操作の有無を判断する第９の判断ステップと、この第９の判断ステップにより前記予め定められている操作の有が判断されたことを条件として、当たりを示す第１０のメッセージを表示させる第１０の表示制御ステップとを含むことを特徴とする。
【発明の効果】
【００１４】
本発明に係る電子機器によれば、当該電子機器を用いて観客が選ぶ物を予測するマジックを実演することができる。よって、これを用いて余興効果を発生させたり、当該機器の興趣性を高めさせたりすることができる。
【発明を実施するための最良の形態】
【００１５】
以下、本発明の一実施の形態を図に従って説明する。図１は、本発明の一実施の形態を適用した腕時計の外観構成を示す平面図である。
【００１６】
この腕時計１は、時計本体部２とこの時計本体部２の両側に係着されたリストバンド３、４とを有している。時計本体部２の上面中央部には、ＬＣＤ等で構成される表示部５が設けられており、両側部には押下によりスイッチがオン（ＯＮ）となる押釦スイッチ６〜９が２個ずつ配置されている。なお、表示部５は、上部左側の第１表示領域５１と下部の第２表示領域５２とに区分される。
【００１７】
図２は、前記時計本体部２内に配置された回路の構成を示すブロック図である。
【００１８】
発振回路１０は基本周波数のクロック信号を生成する回路であり、生成したクロック信号を分周回路１１に出力する。分周回路１１はそのクロック信号を分周して１Ｈｚの計時信号を作成し、時刻計数回路１２に出力する。時刻計数回路１２は時、分、秒のカウンタを有しており、１Ｈｚの計時信号を計数して得られた時、分、秒の時刻データをＣＰＵ１４に出力する。また時刻計数回路１２は２４時間毎の日キャリー信号を日付計数回路１３に出力し、日付計数回路１３はその日キャリー信号を計数して得た日付データをＣＰＵ１４に出力する。入力部１５は、前記押釦スイッチ６〜９を有しており、これらの操作信号をＣＰＵ１４に出力する。
【００１９】
ＣＰＵ１４は、奇数をランダムに発生させる奇数乱数発生部１９１と、偶数をランダムに発生させる偶数乱数発生部１９２とを有しており、ＲＯＭ１６に記憶されている各種プログラムを解読し、ＲＡＭ１７をワークエリアとして使用しつつ、時刻表示処理や後述するフローチャートに示す処理等を実行する中央処理部である。前記表示部５は、ＣＰＵ１４から出力される現在時刻データあるいは表示データに基づいて表示素子を駆動してそれらのデータを表示する。表示部５の下面側には、ＥＬ２２が積層されており、ＣＰＵ１４はこのＥＬ２２の点灯動作を制御するとともに、音出力部１８の放音動作を制御する。
【００２０】
図３は、前記ＲＯＭ１６のメモリ構成を示す概念図である。
【００２１】
ＲＯＭ１６には前記プログラムを格納するプログラム記憶領域１６１、後述する表示例に示す各種文字や画像を表示するための画像データを格納する画像データ格納領域１６２等が設けられている。
【００２２】
図４は、前記ＲＡＭ１７のメモリ構成を示す概念図である。
【００２３】
ＲＡＭ１７には、前記奇数乱数発生部１９１が発生させた奇数の乱数１、２、３・・・と、前記偶数乱数発生部１９２がさせた偶数の乱数２、４、６・・・とを各々格納する第１及び第２の乱数格納部１７１、１７２等が設けられている。
【００２４】
次に、以上の構成に係る本実施の形態の動作を、６種類のコインから観客が選ぶコインを予測するマジックを行う演者Ｘと観客Ｙの動作とともに説明する。
【００２５】
すなわち、演者Ｘが所有する腕時計１は、時計モードにおいては、表示部５に現在時刻を表示させている。この状態から、演者Ｘがこの腕時計１を用いて観客Ｙの目前で、観客Ｙが選ぶ物を予測するマジックを行うべく、押釦スイッチ６を操作すると、時計モードからマジックモードに移行し、ＣＰＵ１４はプログラムに従って図５のフローチャートに示す処理を実行する。
【００２６】
これから行うマジックは、時計から指示される数に合わせて、自由に動かした指の位置を当てるマジックである。
【００２７】
先ず、モード表示処理を実行し（ステップＳ１）、このステップＳ１での処理により、図６（Ａ）に示すように、表示部５の第１表示領域５１に、今から実行するマジックの番号を表示させ、第２表示領域５２に「ＭＡＧＩＣ」の文字を表示させる。次に、タイトル表示処理を実行し（ステップＳ２）、このステップＳ２での処理により、図６（Ｂ）に示すように、第２表示領域５２に今から実行するマジックのタイトルである「ＣＯＮ」の文字を表示させる。
【００２８】
演者Ｘは、このマジック「ＣＯＮ」を行うに際して、図６（Ｂ）に示すように６種類のコインを用意して、それを、１円玉、５円玉、１０円玉、５０円玉、１００円玉、５００円玉の金額順に並べ、左から３番目に配置する１０円玉の裏面には「ＢＩＮＧＯ」の文字を記載しておく。「ＢＩＮＧＯ」の文字を記載している１０円玉を、左から３番目に配置することが本件トリックとなる部分である。
【００２９】
しかる後に、押釦スイッチ８を操作するとステップＳ３の判断がＹＥＳとなり、ステップＳ３からステップＳ４に進む。このステップ４において、「ＰＵＴと指先を示す図形」と「ＯＮ１」の文字とを切替表示させる。これにより、図６（Ｃ）に示すように、第２表示領域５２には、「ＰＵＴと指先を示す図形」と「ＯＮ１」とが切替表示され、この切替表示を視認した演者Ｘは、「時計の指示に従って指を動かしてください。最初は、１円玉の下に指をおいてください。」なる発言を行う。すると、観客Ｙは、この発言に従って、同図に示すように、１円玉の下の下に指Ｆを置く。
【００３０】
これを確認した演者Ｘが、押釦スイッチ８を操作すると、ステップＳ５の判断がＹＥＳとなる。したがって、ステップＳ５からステップＳ６に進み、「ＭＯＶＥ」の文字と「ＡＮＹ」の文字とを切替表示させる。これにより、図６（Ｄ）に示すように、第２表示領域５２には、「ＭＯＶＥ」の文字と「ＡＮＹ」の文字とが切替表示される。この切替表示を視認した演者Ｘは、「好きな数分、順番に指を動かしてください。」なる発言を行う。すると、観客Ｙは、この発言に従って、同図に示すように、左端の１円玉の下に置いている指Ｆを、例えば５回動かして最終的に５０円玉の下で停止させる。
【００３１】
これを確認した演者Ｘが、押釦スイッチ８を操作すると、ステップＳ７の判断がＹＥＳとなる。したがって、ステップＳ７からステップＳ８に進み、「ＭＯＶＥ」の文字と「ＳＡＭＥ」の文字とを切替表示させる。これにより、図６（Ｅ）に示すように、第２表示領域５２には、「ＭＯＶＥ」の文字と「ＳＡＭＥ」の文字とが切替表示される。この切替表示を視認した演者Ｘは、「同じ数分、また、自由に指を動かしてください。」なる発言を行う。すると、観客Ｙは、この発言に従って、同図に示すように、左端の５０円玉の下に位置している指Ｆを、同じ回数である５回動かして最終的に、例えば１０円玉の下で停止させる。
【００３２】
これを確認した演者Ｘが、押釦スイッチ８を操作すると、ステップＳ９の判断がＹＥＳとなる。したがって、ステップＳ９からステップＳ１０に進み、「ＯＵＴ」の文字を表示させた後、６個の図形における右端を異なる表示形態にする「○○○○○  」の表示処理を実行する。これにより、図７（Ｆ）に示すように、第２表示領域５２には、「ＯＵＴ」の文字が表示された後、６個のバーにおける右端のバーが他と異なる表示形態で点滅する表示がなされる。この移行表示を視認した演者Ｘは、「右端のコインを取り除いてください。」なる発言を行う。すると、観客Ｙは、この発言に従って、同図に示すように、１０円玉の下で停止させている指Ｆはそのままにして、右端の５００円玉を除去し、残りのコインを５個にする。
【００３３】
これを確認した演者Ｘが、押釦スイッチ８を操作すると、ステップＳ１１の判断がＹＥＳとなる。したがって、ステップＳ１１からステップＳ１２に進み、前記奇数乱数発生部１９１を動作させて、奇数をランダムに発生させ、「ＭＯＶＥ」の文字と発生させた奇数「＃＃」とを切替表示させる。したがって、この発生させた奇数が例えば「５」であったとすると、図７（Ｇ）に示すように、第２表示領域５２には、「ＭＯＶＥ」の文字と「５」の文字とが切替表示される。この切替表示を視認した演者Ｘは、「５つ動かしてください。」なる発言を行う。すると、観客Ｙは、この発言に従って、同図に示すように、前述のように１０円玉の下に位置している指Ｆを、５回動かして最終的に、例えば５円玉の下で停止させる。
【００３４】
これを確認した演者Ｘが、押釦スイッチ８を操作すると、ステップＳ１３の判断がＹＥＳとなる。したがって、ステップＳ１３からステップＳ１４に進み、「ＯＵＴ」の文字を表示させた後、５個の図形における両端を異なる表示形態にする「  ○○○  」の表示処理を実行する。これにより、図７（Ｈ）に示すように、第２表示領域５２には、「ＯＵＴ」の文字が表示された後、５個のバーにおける両端のバーが他と異なる表示形態で点滅する表示がなされる。この移行表示を視認した演者Ｘは、「両端のコインを取ってください。」なる発言を行う。すると、観客Ｙは、この発言に従って、同図に示すように、５円玉の下で停止させている指Ｆはそのままにして、両端の１円玉と１００円玉とを除去し、残りのコインを３個にする。
【００３５】
これを確認した演者Ｘが、押釦スイッチ８を操作すると、ステップＳ１５の判断がＹＥＳとなる。したがって、ステップＳ１５からステップＳ１６に進み、前記奇数乱数発生部１９１を動作させて、奇数をランダムに発生させ、「ＭＯＶＥ」の文字と発生させた奇数「＃＃」とを切替表示させる。したがって、この発生させた奇数が例えば「３」であったとすると、図７（Ｉ）に示すように、第２表示領域５２には、「ＭＯＶＥ」の文字と「３」の文字とが切替表示される。この切替表示を視認した演者Ｘは、「３つ動かしてください。」なる発言を行う。すると、観客Ｙは、この発言に従って、同図に示すように、前述のように５円玉の下に位置している指Ｆを、３回動かして最終的に、例えば１０円玉の下で停止させる。
【００３６】
これを確認した演者Ｘが、押釦スイッチ８を操作すると、ステップＳ１７の判断がＹＥＳとなる。したがって、ステップＳ１７からステップＳ１８に進み、「ＯＵＴ」の文字を表示させた後、３個の図形における左端を異なる表示形態にする「  ○○」の表示処理を実行する。これにより、図７（Ｊ）に示すように、第２表示領域５２には、「ＯＵＴ」の文字が表示された後、３個のバーにおける左端のバーが他と異なる表示形態で点滅する表示がなされる。この移行表示を視認した演者Ｘは、「左端のコインを取ってください。」なる発言を行う。すると、観客Ｙは、この発言に従って、同図に示すように、１０円玉の下で停止させている指Ｆはそのままにして、左端の５円玉を除去し、残りのコインを２個にする。
【００３７】
これを確認した演者Ｘが、押釦スイッチ８を操作すると、ステップＳ１９の判断がＹＥＳとなる。したがって、ステップＳ１９からステップＳ２０に進み、前記偶数乱数発生部１９２を動作させて、偶数をランダムに発生させ、「ＭＯＶＥ」の文字と発生させた偶数「＃＃」とを切替表示させる。したがって、この発生させた偶数が例えば「４」であったとすると、図８（Ｋ）に示すように、第２表示領域５２には、「ＭＯＶＥ」の文字と「４」の文字とが切替表示される。この切替表示を視認した演者Ｘは、「４つ動かしてください。」なる発言を行う。すると、観客Ｙは、この発言に従って、同図に示すように、前述のように１０円玉の下に位置している指Ｆを、４回動かして最終的に、例えば１０円玉の下で停止させる。
【００３８】
これを確認した演者Ｘが、押釦スイッチ８を操作すると、ステップＳ２１の判断がＹＥＳとなる。したがって、ステップＳ２１からステップＳ２２に進み、「ＯＵＴ」の文字を表示させた後、２個の図形における右端を異なる表示形態にする「○  」の表示処理を実行する。これにより、図８（Ｌ）に示すように、第２表示領域５２には、「ＯＵＴ」の文字が表示された後、２個のバーにおける右端のバーが他と異なる表示形態で点滅する表示がなされる。この移行表示を視認した演者Ｘは、「右端のコインを取り除いてください。」なる発言を行う。すると、観客Ｙは、この発言に従って、同図に示すように、１０円玉の下で停止させている指Ｆはそのままにして、右端の５０円玉を除去し、残りのコインを１個にする。
【００３９】
これを確認した演者Ｘが、押釦スイッチ８を操作すると、ステップＳ２３の判断がＹＥＳとなる。したがって、ステップＳ２３からステップＳ２４に進み、「ＢＩＮＧＯ」の文字を表示させるとともに、ＥＬ発光及び音発生の各処理を実行する。これにより、図８（Ｍ）に示すように、第２表示領域５２には、「ＢＩＮＧＯ」の文字が表示され、かつ、ＥＬ２２が点滅し、音出力部１８から効果音が発生する。これらを視認及び受聴した演者Ｘは、「残ったコインが「ＢＩＮＧＯ」です。あたなが選ぶ物を時計が予測していたのです。」なる発言を行うとともに、残っている１０円玉を反転させる。すると、１０円玉の裏面には、前述のように「ＢＩＮＧＯ」と記載されていることから、これを見て観客Ｙは驚愕する。これにより、腕時計１に対する興趣性を向上させることができる。
【００４０】
しかも、ＥＬ発光処理によりＥＬ２２が点滅し、さらに音発生処理により音出力部１８から効果音が発生することから、観客の驚愕は一層高められる。
【００４１】
以上に説明したマジックは以下の法則を前提としたものである。
【００４２】
すなわち、
（１）６種類の物品を並べて、隣接する物品への移動を１回の移動として、左端から指を物品に対応する位置に偶数回移動させると、指は必ず右端以外の位置で停止する。
（２）したがって、右端の物品を除去させる。
（３）引き続き、指を奇数回移動させると、指は必ず残る５個の物品の両端以外の位置で停止する。
（４）したがって、両端の物品を除去させる。
（５）引き続き、指を奇数回移動させると、指は必ず残る３個の物品の左端以外の位置で停止する。
（６）したがって、左端の物品を除去させる。
（７）引き続き、指を偶数回移動させると、指は必ず残る２個の物品の右端以外の位置で停止する。
（８）したがって、右端の物品を除去させる。
（９）これにより、残った１個の物品は、必ず最初に並べた６個の物品における左から３番目の物品となる。
【００４３】
しかしながら、観客Ｙはこの法則（トリック）を知らないことから、左から３番目に配置された１０円玉が「ＢＩＮＧＯ」であることにより前述のように驚愕する。
【００４４】
しかも、本実施の形態においては、（１）の偶数回移動させる場合において、直接的に偶数回移動させることなく、ステップＳ６での表示処理に対応させて観客Ｙの好きな数分指を移動させた後、ステップＳ８での表示処理に対応させて前回と同一数分指を移動させることにより、結果的に偶数回移動させるようにした。よって、前記法則（トリック）の露見をより確実に防止することができる。
【００４５】
なお、実施の形態の説明においては、６種類のコインを用いるようにしたが、例えば相手にプレゼントする箱を６種類用意し、そのうち１種類の箱のみにプレゼントする指輪を入れて、左から３番目に配置し、同様にこの腕時計１を用いたマジックを行うようにしてもよい。これにより、最終的に指輪が入った箱が選択されることとなる。
【００４６】
また、この実施の形態の説明においては、６種類のコインを用いるようにしたが、６種類に限らなく、他の数の種類でもよい。この場合は、その数に合わせた番目の位置に文字などが記載された当該品物を配置することとなる。
【００４７】
また、実施の形態においては、本発明を腕時計に適用した場合を示したが、これに限ることなく、マジック専用機器として構成したり、携帯ゲーム機器、携帯電話機等の他の電子機器に適用したりするようにしてもよい。
【図面の簡単な説明】
【００４８】
【図１】本発明の一実施の形態に係る腕時計の外観構成図である。
【図２】同腕時計の回路構成を示すブロック図である。
【図３】ＲＯＭのメモリ構成図である。
【図４】ＲＡＭのメモリ構成図である。
【図５】本実施の形態の処理手順を示すフローチャートである。
【図６】同実施の形態の表示遷移図である。
【図７】図６に続く表示遷移図である。
【図８】図７に続く表示遷移図である。
【符号の説明】
【００４９】
１    腕時計
２    時計本体部
３    リストバンド
５    表示部
６〜９    押釦スイッチ
１４    ＣＰＵ
１５    入力部
１６    ＲＯＭ
１７    ＲＡＭ
１８    音出力部
２０    グラフィックバー
２２    ＥＬ
【図１】
2008113900.tif 000003
【図２】
2008113900.tif 000004
【図３】
2008113900.tif 000005
【図４】
2008113900.tif 000006
【図５】
2008113900.tif 000007
【図６】
2008113900.tif 000008
【図７】
2008113900.tif 000009
【図８】
2008113900.tif 000010